(57)【要約】【課題】押棒９とともにガイド筒１０内を繰り出される棒状物が押棒９より外れた場合でも簡単に取り付けられる棒状物繰り出し装置に適用できる。【解決手段】チャック２の前進動作により押棒９を繰り出し、かつ、ガイド筒１０内を摺動可能な棒状物を押棒９の前進とともに繰り出す棒状物繰り出し装置を構成する。前記押棒９の前部にガイド筒１０の内径よりわずかに細径の中駒１１を設け、この中駒１１をガイド筒１０内に配置する。前記押棒９とともに前進する中駒１１により棒状物が押されて繰り出される。更に、中駒１１により押棒９の前部をガイド筒１０内の略中心に位置させる。【選択図】図１
2011251755.tif 000002
【特許請求の範囲】
【請求項１】
チャックとチャックを長手方向後方に付勢するスプリングとを有するチャックユニットと、チャックユニットに連結されるガイド筒と、チャックの前進動作により繰り出される押棒と、ガイド筒内を摺動可能な棒状物を押棒の前進とともに繰り出す棒状物繰り出し装置であって、押棒の前部にガイド筒の内径よりわずかに細径の中駒を設け、この中駒をガイド筒内に配置して、押棒とともに前進する中駒により棒状物が押されて繰り出されるとともに、中駒により押棒をガイド筒内の略中心に位置させることを特徴とする棒状物繰り出し装置。
【請求項２】
押棒の前部に中駒を固着して構成したことを特徴とする請求項１記載の棒状物繰り出し装置。
【請求項３】
押棒と中駒を合成樹脂で一体成形して構成したことを特徴とする請求項１記載の棒状物繰り出し装置。
【発明の詳細な説明】
【技術分野】
【０００１】
本発明は、消しゴム、修正棒、筆記芯、アイライナー芯、アイブロー芯等の棒状物を押棒により繰り出す棒状物繰り出し装置に関する。
【背景技術】
【０００２】
従来、チャックの前進動作によって送出される細棒の先端に棒状物を取り付け、この棒状物をチャックの前進動作によって案内筒内を前進させる棒状物繰り出し装置が知られている。（特許文献１参照）
【０００３】
しかしながら、上記棒状物繰り出し装置は、案内筒内で細棒から棒状物（消しゴム）が外れてしまうと、細棒は案内筒内を揺動して中心に位置できず傾いてしまうために、案内筒内で細棒に棒状物を突き刺すことができなかった。その為、外れた棒状物を再び細棒に取り付ける為には、細棒を案内筒から外して棒状物を取り付けなければならず、非常に面倒な操作を行わなければならないとともに、案内筒も取り外さなければならなかった。
【先行技術文献】
【特許文献】
【０００４】
【特許文献１】特開平１０−２２６１９３号公報
【発明の概要】
【発明が解決しようとする課題】
【０００５】
解決しようとする問題点は、ガイド筒内で押棒から棒状物が外れた時に、ガイド筒内に位置する押棒に棒状物が簡単に取り付けられない点である。
【課題を解決するための手段】
【０００６】
本発明は、チャックとチャックを長手方向後方に付勢するスプリングとを有するチャックユニットと、チャックユニットに連結されるガイド筒と、チャックの前進動作により繰り出される押棒と、ガイド筒内を摺動可能な棒状物を押棒の前進とともに繰り出す棒状物繰り出し装置であって、押棒の前部にガイド筒の内径よりわずかに細径の中駒を設け、この中駒をガイド筒内に配置して、押棒とともに前進する中駒により棒状物が押されて繰り出されるとともに、中駒により押棒をガイド筒内の略中心に位置させることを第１の特徴とする。
また、押棒の前部に中駒を固着して構成したことを第２の特徴とする。
更に、押棒と中駒を合成樹脂で一体成形して構成したことを第３の特徴とする。
【発明の効果】
【０００７】
本発明は、チャックの前進動作によって押棒を繰り出し、この押棒とともに棒状物を繰り出す棒状物繰り出し装置において、押棒より棒状物が外れても簡単に取り付けられる利点が得られるものである。
【図面の簡単な説明】
【０００８】
【図１】図１は、本発明の実施例１の棒状物繰り出し装置を示す断面図である。（実施例１）
【図２】押棒に中駒を固着した状態を示す主要部拡大断面図である。（実施例１）
【図３】図３は、押棒と中駒を一体成形した実施例２の棒状物繰り出し装置を示す主要部拡大断面図である。（実施例２）
【発明を実施するための形態】
【０００９】
チャックの前進動作によって押棒を繰り出し、この押棒とともにガイド筒内を繰り出される棒状物が押棒より外れた場合でも簡単に取り付けられる棒状物繰り出し装置を実現した。
【実施例１】
【００１０】
以下、図１及び図２に基づいて本発明における実施例１の棒状物繰り出し装置を説明する。尚、棒状物を消しゴム１で説明する。また、図１の左側を前方とし、右側を後方とする。先ず、チャック２の頭部２Ａを複数に分割し、このチャック２の頭部２Ａに締具３を外嵌する。更に、締具３を受け止める外筒４の内段とチャック２の後部に連結されたノック筒５の前端との間にコイルスプリング６を弾発させて取り付けチャックユニットを構成する。前記コイルスプリング６によりチャック２を長手方向後方に付勢し、チャック２の頭部２Ａを締具３に押圧する。すると、締具３が外筒４の前端に当接し、チャック２が閉じられる。前記外筒４の前部に先部材７を着脱可能に螺合し、先部材７の係止段７Ａと外筒４の前端との間を締具３が摺動可能に構成する。前記先部材７にはゴム製のホルダー８が内蔵され、押棒９を適度の力で保持する。また、先部材７の先端孔より押棒９が前方に突出する。前記先部材７の前部に金属パイプからなるガイド筒１０が圧入固着される。
【００１１】
中駒１１は、外径が前記ガイド筒１０の内径よりわずかに細径に形成され、この中駒１１の後部１１Ａは細径で薄肉に形成される。更に、中駒１１には前記押棒９が挿通可能な孔１１Ｂが形成される。この中駒１１を前記押棒９の前部に取り付け、中駒１１の後部１１Ａをカシメることにより押棒９に中駒１１を固着する。尚、図示していないが中駒を押棒の前部に圧入固着して取り付けてもよい。この押棒９の前部を棒状の消しゴム１の後部に突き刺し、消しゴム１を押棒９に取り付ける。
【００１２】
次に、ノック筒５を前方に押圧してチャック２を拡開した状態で、前記消しゴム１を取り付けた押棒９をガイド筒１０の前方から挿入し、押棒９をチャック２内に挿入する。そして、ガイド筒１０内に消しゴム１を十分に挿入させた状態でノック筒５の押圧を解除し、チャック２により押棒９を強く保持させ棒状物繰り出し装置を構成する。
【００１３】
この棒状物繰り出し装置は、従来一般的に使用されている複合筆記具にスライド可能に取り付けられる操作部材１２にパイプ部材１３を介して取り付けられる。この操作部材１２を押圧するとノック筒５が前進し、また、ガイド筒１０の前端が図示していない複合筆記具の外軸の内段に当接すると押棒９を保持するチャック２が前進し、通常のノック式シャープペンシルが芯を繰り出す機構と同様に押棒９が繰り出される。
【００１４】
この消しゴム１を有する棒状物繰り出し装置は、ノック式シャープペンシル体とともに複合筆記具に内蔵することが好ましく、従来知られている種々の複合筆記具に装着することができる。
【００１５】
この棒状物繰り出し装置で消しゴム１を使用した時、消しゴム１が押棒９から外れてしまった場合でも、押棒９の前部は中駒１１によってガイド筒１０の中心に位置されるので、ガイド筒１０の先端より消しゴム１を挿入すれば消しゴム１の後部が押棒９の前部に突き刺さり取り付けられる。また、消しゴム１を強い力で挿入しても消しゴム１の後端が中駒１１の前端に当接するので、必要以上に押棒９が消しゴム１内に突き刺さってしまう恐れはない。
【実施例２】
【００１６】
以下、図３に基づいて本発明における実施例２の押棒１０９と中駒１１１を説明する。合成樹脂の押棒１０９と中駒１１１を一体成形で構成し、中駒１１１の外径をガイド筒１０の内径よりわずかに細径に形成する。この押棒１０９の前部を消しゴム１の後部に突き刺し、消しゴム１を押棒１０９に取り付ける。
【００１７】
この実施例２の場合には、中駒１１１を取り付ける組立工程がなくなるとともに、中駒１１１が外れてしまう恐れもないという利点が得られる。
【００１８】
尚、本発明は上記実施例に限定されるものではなく、ノック筒、外筒、中駒、パイプ部材といった部材は複数の部材を固着して一体化し構成しても良い。また、先部材の一部に弾性片を形成してホルダーとしても良い。更に、棒状物としては消しゴムに限らず、修正棒、筆記芯、アイライナー芯、アイブロー芯等の種々の棒状物が考えられる。
【産業上の利用可能性】
【００１９】
押棒がチャックにより保持されガイド筒内に内蔵された状態でも、押棒に棒状部材を確実に取り付けることが出来る棒状物繰り出し装置に適用できる。
【符号の説明】
【００２０】
２    チャック
６    コイルスプリング
９    押棒
１０    ガイド筒
１１    中駒
１０９    押棒
１１１    中駒
【図１】
2011251755.tif 000003
【図２】
2011251755.tif 000004
【図３】
2011251755.tif 000005